(57)【要約】【課題】予め記憶された多数の情報から所望のものを短時間で指定することのできる情報表示装置、情報表示方法及び情報表示プログラムを得る。【解決手段】制御部１１により、予め複数記憶されると共に、文書データに施す複数の処理を一連の処理として表した指示書のユーザを認証するための認証コードをカードリーダ１９を介して取得し、当該認証コードによって認証されたユーザが利用可能な指示書を上記複数の指示書から検索し、検索した指示書を示す情報（指示書名）を表示部１２により表示する。【選択図】        図４
2004288056.tif 000002
【特許請求の範囲】
【請求項１】
文書データに施す複数の処理を一連の処理として表した連携情報を予め複数記憶した記憶手段と、
前記連携情報の利用者を認証するための認証情報を取得する取得手段と、
前記取得手段により取得された前記認証情報によって認証された利用者が利用可能な前記連携情報を前記複数の連携情報から検索する検索手段と、
前記検索手段により検索された前記連携情報を示す情報を表示する表示手段と、
を備えた情報表示装置。
【請求項２】
前記連携情報に、前記複数の処理に関するパラメータを更に含めた
請求項１記載の情報表示装置。
【請求項３】
前記検索手段は、前記認証手段によって認証された利用者の予め定められた権限に応じて利用可能な前記連携情報を前記複数の連携情報から検索する
請求項１又は請求項２記載の情報表示装置。
【請求項４】
前記表示手段は、前記検索手段により検索された前記連携情報における１番目の処理を表す先頭処理情報を当該連携情報を示す情報と共に表示する
請求項１乃至請求項３の何れか１項記載の情報表示装置。
【請求項５】
前記表示手段により表示された前記連携情報を示す情報が複数であるとき、当該複数の情報により示される複数の連携情報の少なくとも１つを抽出するための抽出情報を入力する入力手段を更に備え、
前記表示手段は、前記入力手段により入力された前記抽出情報に基づいて抽出された前記連携情報を示す情報を表示する
請求項１乃至請求項４の何れか１項記載の情報表示装置。
【請求項６】
前記検索手段により検索された前記連携情報により表される一連の処理が実行可能か否かを判定する判定手段を更に備え、
前記表示手段は、前記判定手段により実行可能であると判定された前記連携情報を示す情報のみ表示する
請求項１乃至請求項５の何れか１項記載の情報表示装置。
【請求項７】
前記表示手段により表示された情報によって示される前記連携情報から前記一連の処理を実行する連携情報の指定を入力する指定入力手段を更に備え、
前記表示手段は、前記判定手段により実行可能でないと判定された前記連携情報を示す情報を前記指定入力手段により指定できない状態で表示する
請求項６記載の情報表示装置。
【請求項８】
文書データに施す複数の処理を一連の処理として表した連携情報を記憶手段に予め複数記憶する記憶工程と、
前記連携情報の利用者を認証するための認証情報を取得する取得工程と、
前記取得工程により取得された前記認証情報によって認証された利用者が利用可能な前記連携情報を前記複数の連携情報から検索する検索工程と、
前記検索工程により検索された前記連携情報を示す情報を表示手段により表示する表示工程と、
を備えた情報表示方法。
【請求項９】
前記連携情報に、前記複数の処理に関するパラメータを更に含めた
請求項８記載の情報表示方法。
【請求項１０】
前記検索工程は、前記認証情報によって認証された利用者の予め定められた権限に応じて利用可能な前記連携情報を前記複数の連携情報から検索する
請求項８又は請求項９記載の情報表示方法。
【請求項１１】
前記表示工程は、前記検索工程により検索された前記連携情報における１番目の処理を表す先頭処理情報を当該連携情報を示す情報と共に前記表示手段により表示する
請求項８乃至請求項１０の何れか１項記載の情報表示方法。
【請求項１２】
前記表示工程により表示された前記連携情報を示す情報が複数であるとき、当該複数の情報により示される複数の連携情報の少なくとも１つを抽出するための抽出情報を入力する入力工程を更に備え、
前記表示工程は、前記入力工程により入力された前記抽出情報に基づいて抽出された前記連携情報を示す情報を前記表示手段により表示する
請求項８乃至請求項１１の何れか１項記載の情報表示方法。
【請求項１３】
前記検索工程により検索された前記連携情報により表される一連の処理が実行可能か否かを判定する判定工程を更に備え、
前記表示工程は、前記判定工程により実行可能であると判定された前記連携情報を示す情報のみ前記表示手段により表示する
請求項８乃至請求項１２の何れか１項記載の情報表示方法。
【請求項１４】
前記表示工程により表示された情報によって示される前記連携情報から前記一連の処理を実行する連携情報の指定を入力する指定入力工程を更に備え、
前記表示工程は、前記判定工程により実行可能でないと判定された前記連携情報を示す情報を前記指定入力工程により指定できない状態で表示する
請求項１３記載の情報表示方法。
【請求項１５】
文書データに施す複数の処理を一連の処理として表した情報であり、記憶手段に予め複数記憶された連携情報の利用者を認証するための認証情報を取得する取得工程と、
前記取得工程により取得された前記認証情報によって認証された利用者が利用可能な前記連携情報を前記複数の連携情報から検索する検索工程と、
前記検索工程により検索された前記連携情報を示す情報を表示手段により表示する表示工程と、
をコンピュータに実行させる情報表示プログラム。
【請求項１６】
前記連携情報に、前記複数の処理に関するパラメータを更に含めた
請求項１５記載の情報表示プログラム。
【請求項１７】
前記検索工程は、前記認証情報によって認証された利用者の予め定められた権限に応じて利用可能な前記連携情報を前記複数の連携情報から検索する
請求項１５又は請求項１６記載の情報表示プログラム。
【請求項１８】
前記表示工程は、前記検索工程により検索された前記連携情報における１番目の処理を表す先頭処理情報を当該連携情報を示す情報と共に前記表示手段により表示する
請求項１５乃至請求項１７の何れか１項記載の情報表示プログラム。
【請求項１９】
前記表示工程により表示された前記連携情報を示す情報が複数であるとき、当該複数の情報により示される複数の連携情報の少なくとも１つを抽出するための抽出情報を入力する入力工程を更に備え、
前記表示工程は、前記入力工程により入力された前記抽出情報に基づいて抽出された前記連携情報を示す情報を前記表示手段により表示する
請求項１５乃至請求項１８の何れか１項記載の情報表示プログラム。
【請求項２０】
前記検索工程により検索された前記連携情報により表される一連の処理が実行可能か否かを判定する判定工程を更に備え、
前記表示工程は、前記判定工程により実行可能であると判定された前記連携情報を示す情報のみ前記表示手段により表示する
請求項１５乃至請求項１９の何れか１項記載の情報表示プログラム。
【請求項２１】
前記表示工程により表示された情報によって示される前記連携情報から前記一連の処理を実行する連携情報の指定を入力する指定入力工程を更に備え、
前記表示工程は、前記判定工程により実行可能でないと判定された前記連携情報を示す情報を前記指定入力工程により指定できない状態で表示する
請求項２０記載の情報表示プログラム。
【発明の詳細な説明】
【０００１】
【発明の属する技術分野】
本発明は、情報表示装置、情報表示方法及び情報表示プログラムに係り、より詳しくは、文書データに施す複数の処理を一連の処理として表した連携情報を示す情報を表示する情報表示装置、情報表示方法及び情報表示プログラムに関する。
【０００２】
【従来の技術】
従来、複写機にファクシミリ機能、スキャナ機能、プリンタ機能等の複数の機能を統合した複合機が提案されている。これにより、複写機、ファクシミリ等を使った紙主体の事務処理と、パーソナルコンピュータ上で電子化された文書の処理とを、連携することができる。
【０００３】
具体的には、紙文書をスキャンしてパーソナルコンピュータに転送したり、ファクシミリ機能で受信した文書をプリントせずにイメージデータのままパーソナルコンピュータに送信すること等ができる。更には、紙文書、ファクシミリ受信文書が電子化された後、多くの手続きや処理をも連携させて自動化することが望まれる。
【０００４】
そのため、従来、予め複合機で設定すべき項目について所望の設定を記述した電子化ファイルとして構成されたジョブテンプレートを、処理内容に応じて多数用意し、記憶しておき、それら多数のジョブテンプレートから所望の処理内容に対応するものを指定し、必要に応じて設定値を変更してから処理を実行する技術が提案されている。
【０００５】
しかしながら、この技術では、ジョブテンプレートが多数存在するため、これらの中から所望のものを見つけ出して指定するのに多大な時間がかかる、という問題点があった。
【０００６】
そこで、この問題点を解決するために適用できる技術として、従来、予め記憶された多数の文書から所望のものを検索し、当該検索された文書群から次の段階の検索（絞り込み）を支援することを目的として、ユーザの情報要求に応じて基本的な情報検索を行い、これにより取得した検索結果のリストにおける文書群を互いに類似した文書により構成される文書集合に分類し、各文書集合から特徴的な単語及び特徴的な関係を抽出し、分類されたグループと、抽出された単語及び関係に基づいて、ユーザに対して操作可能な出力画面の情報を生成する技術があった（例えば、特許文献１参照。）。
【０００７】
この技術を前述の予め記憶された多数のジョブテンプレートから所望の処理内容に対応するものを指定する技術に適用することにより、ジョブテンプレートの効率的な絞り込み検索を実現できる。
【０００８】
【特許文献１】
特開２００１−３０６５９４公報
【０００９】
【発明が解決しようとする課題】
しかしながら、この技術では、効率的な絞り込み検索は実現できるものの、当初の検索において多数のジョブテンプレートが得られた場合には、それらの参照に多大な時間がかかり、この結果として所望のジョブテンプレートを指定するのに多大な時間がかかる、という問題点があった。
【００１０】
本発明は、上記問題点を解決するためになされたものであり、予め記憶された多数の情報から所望のものを短時間で指定することのできる情報表示装置、情報表示方法及び情報表示プログラムを提供することを目的とする。
【００１１】
【課題を解決するための手段】
上記目的を達成するために、請求項１記載の情報表示装置は、文書データに施す複数の処理を一連の処理として表した連携情報を予め複数記憶した記憶手段と、前記連携情報の利用者を認証するための認証情報を取得する取得手段と、前記取得手段により取得された前記認証情報によって認証された利用者が利用可能な前記連携情報を前記複数の連携情報から検索する検索手段と、前記検索手段により検索された前記連携情報を示す情報を表示する表示手段と、を備えている。
【００１２】
請求項１に記載の情報表示装置によれば、文書データに施す複数の処理を一連の処理として表した連携情報が記憶手段により予め複数記憶される。なお、上記記憶手段には、ＲＡＭ（Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、フラッシュＥＥＰＲＯＭ（Ｆｌａｓｈ  ＥＥＰＲＯＭ）等の半導体記憶素子、フロッピィディスク、ＣＤ−Ｒ（Ｃｏｍｐａｃｔ  Ｄｉｓｃ−Ｒｅｃｏｒｄａｂｌｅ）、ＣＤ−ＲＷ（Ｃｏｍｐａｃｔ  Ｄｉｓｃ−ＲｅＷｒｉｔａｂｌｅ）、光磁気ディスク等の可搬記録媒体やハードディスク等の固定記録媒体、或いはネットワークに接続されたサーバ・コンピュータ等に設けられた外部記憶装置等を用いることができる。また、上記文書データは、文書に関連する情報であればよく、テキストデータ等の文字情報や紙文書を読み取った画像情報等、特に限定されるものではない。
【００１３】
ここで、本発明では、上記連携情報の利用者を認証するための認証情報が取得手段によって取得され、取得された認証情報によって認証された利用者が利用可能な連携情報が上記複数の連携情報から検索手段によって検索され、検索された連携情報を示す情報が表示手段によって表示される。なお、上記認証情報としては、上記利用者に対して予め設定された暗証番号、ＩＤ番号等の数値情報や、記号情報等、利用者を認証できるものであれば如何なる情報も適用することができる。また、上記連携情報を示す情報には、連携情報の予め付与された名称を示す情報、連携情報が電子化ファイルである場合のファイル名の他、連携情報自信も含まれる。また、上記表示手段には、ＣＲＴディスプレイ、液晶ディスプレイ、有機ＥＬディスプレイ、プラズマ・ディスプレイ等のディスプレイが含まれる。
【００１４】
このように、請求項１に記載の情報表示装置によれば、予め複数記憶されると共に、文書データに施す複数の処理を一連の処理として表した連携情報の利用者を認証するための認証情報を取得し、当該認証情報によって認証された利用者が利用可能な連携情報を上記複数の連携情報から検索し、検索した連携情報を示す情報を表示しているので、利用者にとって有用な情報のみに絞り込まれた状態で連携情報を表示することができ、この結果として、予め記憶された多数の連携情報から所望のものを短時間で指定することができる。
【００１５】
なお、本発明は、請求項２に記載の発明のように、前記連携情報に、前記複数の処理に関するパラメータを更に含めたものとしてもよい。
【００１６】
また、本発明は、請求項３に記載の発明のように、前記検索手段は、前記認証手段によって認証された利用者の予め定められた権限に応じて利用可能な前記連携情報を前記複数の連携情報から検索するようにしてもよい。なお、上記権限の種類としては、本発明の情報表示装置の管理者の権限、当該管理者以外でかつ当該情報表示装置の有する全ての処理の利用が許可された者の権限、当該情報表示装置の有する処理の一部のみの利用が許可された者の権限等を例示することができる。
【００１７】
また、本発明は、請求項４に記載の発明のように、前記表示手段は、前記検索手段により検索された前記連携情報における１番目の処理を表す先頭処理情報を当該連携情報を示す情報と共に表示するようにしてもよい。なお、上記先頭処理情報には、１番目の処理を表す図形や文字列が含まれ、これらには、アイコンや図形、文字からなる表彰情報であるグラフィカル・シンボル等が含まれる。
【００１８】
また、本発明は、請求項５に記載の発明のように、前記表示手段により表示された前記連携情報を示す情報が複数であるとき、当該複数の情報により示される複数の連携情報の少なくとも１つを抽出するための抽出情報を入力する入力手段を更に備え、前記表示手段は、前記入力手段により入力された前記抽出情報に基づいて抽出された前記連携情報を示す情報を表示するようにしてもよい。なお、上記入力手段には、キーボード、マウス（ポインティング・デバイス）、タッチパネル等の入力装置が含まれる。
【００１９】
また、本発明は、請求項６に記載の発明のように、前記検索手段により検索された前記連携情報により表される一連の処理が実行可能か否かを判定する判定手段を更に備え、前記表示手段は、前記判定手段により実行可能であると判定された前記連携情報を示す情報のみ表示するようにしてもよい。
【００２０】
更に、請求項６に係る発明は、請求項７に記載の発明のように、前記表示手段により表示された情報によって示される前記連携情報から前記一連の処理を実行する連携情報の指定を入力する指定入力手段を更に備え、前記表示手段は、前記判定手段により実行可能でないと判定された前記連携情報を示す情報を前記指定入力手段により指定できない状態で表示するようにしてもよい。なお、上記指定入力手段には、キーボード、マウス、タッチパネル等の入力装置が含まれる。
【００２１】
一方、上記目的を達成するために、請求項８記載の情報表示方法は、文書データに施す複数の処理を一連の処理として表した連携情報を記憶手段に予め複数記憶する記憶工程と、前記連携情報の利用者を認証するための認証情報を取得する取得工程と、前記取得工程により取得された前記認証情報によって認証された利用者が利用可能な前記連携情報を前記複数の連携情報から検索する検索工程と、前記検索工程により検索された前記連携情報を示す情報を表示手段により表示する表示工程と、を備えたものである。
【００２２】
従って、請求項８に記載の発明によれば、請求項１に記載の発明と同様に作用するので、請求項１に記載の発明と同様に、予め記憶された多数の連携情報から所望のものを短時間で指定することができる。
【００２３】
なお、本発明は、請求項９に記載の発明のように、前記連携情報に、前記複数の処理に関するパラメータを更に含めるようにしてもよい。
【００２４】
また、本発明は、請求項１０に記載の発明のように、前記検索工程は、前記認証情報によって認証された利用者の予め定められた権限に応じて利用可能な前記連携情報を前記複数の連携情報から検索するようにしてもよい。
【００２５】
また、本発明は、請求項１１に記載の発明のように、前記表示工程は、前記検索工程により検索された前記連携情報における１番目の処理を表す先頭処理情報を当該連携情報を示す情報と共に前記表示手段により表示するようにしてもよい。
【００２６】
また、本発明は、請求項１２に記載の発明のように、前記表示工程により表示された前記連携情報を示す情報が複数であるとき、当該複数の情報により示される複数の連携情報の少なくとも１つを抽出するための抽出情報を入力する入力工程を更に備え、前記表示工程は、前記入力工程により入力された前記抽出情報に基づいて抽出された前記連携情報を示す情報を前記表示手段により表示するようにしてもよい。
【００２７】
また、本発明は、請求項１３に記載の発明のように、前記検索工程により検索された前記連携情報により表される一連の処理が実行可能か否かを判定する判定工程を更に備え、前記表示工程は、前記判定工程により実行可能であると判定された前記連携情報を示す情報のみ前記表示手段により表示するようにしてもよい。
【００２８】
更に、請求項１３に係る発明は、請求項１４に記載の発明のように、前記表示工程により表示された情報によって示される前記連携情報から前記一連の処理を実行する連携情報の指定を入力する指定入力工程を更に備え、前記表示工程は、前記判定工程により実行可能でないと判定された前記連携情報を示す情報を前記指定入力工程により指定できない状態で表示するようにしてもよい。
【００２９】
一方、上記目的を達成するために、請求項１５記載の情報表示プログラムは、文書データに施す複数の処理を一連の処理として表した情報であり、記憶手段に予め複数記憶された連携情報の利用者を認証するための認証情報を取得する取得工程と、前記取得工程により取得された前記認証情報によって認証された利用者が利用可能な前記連携情報を前記複数の連携情報から検索する検索工程と、前記検索工程により検索された前記連携情報を示す情報を表示手段により表示する表示工程と、をコンピュータに実行させるものである。
【００３０】
従って、請求項１５に記載の発明によれば、コンピュータに対して請求項１に記載の発明と同様に作用させるものであるので、請求項１に記載の発明と同様に、予め記憶された多数の連携情報から所望のものを短時間で指定することができる。
【００３１】
なお、本発明は、請求項１６に記載の発明のように、前記連携情報に、前記複数の処理に関するパラメータを更に含めたものとしてもよい。
【００３２】
また、本発明は、請求項１７に記載の発明のように、前記検索工程は、前記認証情報によって認証された利用者の予め定められた権限に応じて利用可能な前記連携情報を前記複数の連携情報から検索するようにしてもよい。
【００３３】
また、本発明は、請求項１８に記載の発明のように、前記表示工程は、前記検索工程により検索された前記連携情報における１番目の処理を表す先頭処理情報を当該連携情報を示す情報と共に前記表示手段により表示するようにしてもよい。
【００３４】
また、本発明は、請求項１９に記載の発明のように、前記表示工程により表示された前記連携情報を示す情報が複数であるとき、当該複数の情報により示される複数の連携情報の少なくとも１つを抽出するための抽出情報を入力する入力工程を更に備え、前記表示工程は、前記入力工程により入力された前記抽出情報に基づいて抽出された前記連携情報を示す情報を前記表示手段により表示するようにしてもよい。
【００３５】
また、本発明は、請求項２０に記載の発明のように、前記検索工程により検索された前記連携情報により表される一連の処理が実行可能か否かを判定する判定工程を更に備え、前記表示工程は、前記判定工程により実行可能であると判定された前記連携情報を示す情報のみ前記表示手段により表示するようにしてもよい。
【００３６】
更に、請求項２０に係る発明は、請求項２１に記載の発明のように、前記表示工程により表示された情報によって示される前記連携情報から前記一連の処理を実行する連携情報の指定を入力する指定入力工程を更に備え、前記表示工程は、前記判定工程により実行可能でないと判定された前記連携情報を示す情報を前記指定入力工程により指定できない状態で表示するようにしてもよい。
【００３７】
【発明の実施の形態】
以下、本発明の好ましい実施の形態について図面を参照しながら詳細に説明する。
【００３８】
［第１の実施形態］
（システム構成）
図１は、本発明の第１の実施形態に係る文書処理システム１の構成を示すブロック図である。
【００３９】
文書処理システム１は、様々なサービスやアプリケーションがネットワーク５を介して接続されたものである。ここで、サービスとは、外部からの要求に応じて文書に関する利用可能な機能をいう。サービスは、例えば、コピー、プリント、スキャン、ファクシミリ送受信、メール配信、レポジトリへの格納やレポジトリからの読込、ＯＣＲ（Ｏｐｔｉｃａｌ  Ｃｈａｒａｃｔｅｒ  Ｒｅｃｏｇｎｉｔｉｏｎ）処理、ノイズ除去処理等が該当し、特に限定されるものではない。
【００４０】
文書処理システム１は、具体的には、複数のサービスを連携させてユーザの所望の処理を指示するユーザインタフェースを備えたクライアント端末１０と、ユーザの所望のサービスを検索するサービス検索サーバ２０と、クライアント端末１０で指示されたサービス連携に関する情報から指示書（本発明の「連携情報」に相当。）を作成する指示書生成サーバ３０と、指示書を管理する指示書管理サーバ４０と、指示書に従って各サービスの連携処理を実行する連携処理サーバ５０と、を備えている。
【００４１】
さらに、文書処理システム１は、画像文書のノイズ除去処理や画像回転処理やＯＣＲ処理や画像をバインドする等の画像処理を行う画像処理装置６１と、文書を管理する文書管理サーバ６２と、文書を配信する文書配信サーバ６３と、第１のサービス処理を行う第１のサービス処理装置６４と、第２のサービス処理を行う第２のサービス処理装置６５と、を備えている。
【００４２】
なお、文書処理システム１は、本実施形態では所定のサービス処理を行う複数のサーバがネットワーク５を介して接続された構成となっているが、複数のサービスがネットワーク５を介して接続されていれば特に限定されるものではない。
【００４３】
ここで、指示書とは、一連の処理を複数の機能的な処理に分解した場合において、各機能の関係を表す情報と、各機能を呼び出すためのインタフェース（Ｉ／Ｆ）情報と、一連の処理に関するグラフィカルユーザインタフェース（ＧＵＩ）を構成するための情報と、を含んだデータをいう。
【００４４】
図２は、文書処理システム１を構成する各サービス処理装置の相互関係を説明するためのブロック図である。各サービス処理装置は、自身が提供するサービスの内容を表すＩ／Ｆ情報を記憶している。
【００４５】
図３は、Ｉ／Ｆ情報の構成を示す図である。Ｉ／Ｆ情報は、＜サービス種類（Ｓｅｒｖｉｃｅ  Ｃｌａｓｓ）＞、＜サービス名（Ｓｅｒｖｉｃｅ  Ｎａｍｅ）＞、＜サービス・アイコン（Ｓｅｒｖｉｃｅ  Ｉｃｏｎ）＞、＜サービスロケーション情報（Ｓｅｒｖｉｃｅ  Ｉｎｆｏｒｍａｔｉｏｎ  Ｌｏｃａｔｉｏｎ）＞、＜入力（Ｉｎｐｕｔ）＞、＜出力（Ｏｕｔｐｕｔ）＞、＜パラメータ制限ルール（Ｐａｒａｍｅｔｅｒ  Ｒｅｓｔｒｉｃｔｉｏｎ  Ｒｕｌｅｓ）＞、＜サービス・ロケーション（Ｓｅｒｖｉｃｅ  Ｌｏｃａｔｉｏｎ）＞、＜メソッド名（Ｍｅｔｈｏｄ  Ｎａｍｅ）＞、＜起動方法（Ｉｎｖｏｃａｔｉｏｎ  Ｓｃｈｅｍｅ）＞、＜黙示要素（Ｉｎｐｌｉｃｉｔ  Ｅｌｅｍｅｎｔｓ）＞で構成されている。
【００４６】
＜サービス種類＞は、サービス処理装置が提供するサービスの種類である。なお、＜サービス種類＞は、予め定義されているものが使用され、例えば、スキャン、プリント、レポジトリ、フロー等が該当する。＜サービス名＞は、サービス処理装置が提供するサービスの名前である。＜サービス・アイコン＞は、クライアント端末１０のＧＵＩに表示するアイコンの位置情報である。
【００４７】
＜サービスロケーション情報＞は、指示書生成サーバ３０がＩ／Ｆ情報を取得するために用いるＵＲＬである。＜入力＞は、サービスへの入力である。＜出力＞は、サービスからの出力である。＜パラメータ制限ルール＞は、＜入力＞や＜出力＞に適用される制限ルールである。＜サービスロケーション＞は、サービスを実際に使用するときの位置情報である。＜メソッド名＞は、サービス処理の提供手法やサービスを指し示す名称が記述されている。
【００４８】
＜起動方法＞は、サービス処理を呼び出し起動する方法である。なお、＜起動方法＞としては、例えばメッセージ交換のプロトコルであるＳＯＡＰ（Ｓｉｍｐｌｅ  Ｏｂｊｅｃｔ  Ａｃｃｅｓｓ  Ｐｒｏｔｏｃｏｌ）、ＳＭＴＰ（Ｓｉｍｐｌｅ  Ｍａｉｌ  Ｔｒａｎｓｆｅｒ  Ｐｒｏｔｏｃｏｌ）等を用いることができる。＜黙示要素＞は、出力として明示的に後段の処理に渡されるデータでないが、後段の処理で参照可能なデータである。
【００４９】
クライアント端末１０は、指示書の作成を指示したり、起動すべき指示書を選択するために、画面表示したり所定の操作を行うためのグラフィカルユーザインタフェース（ＧＵＩ）の機能を備えている。
【００５０】
図４に示すように、クライアント端末１０は、クライアント端末１０全体の動作を司る制御部１１と、ディスプレイ装置により構成された表示部１２と、磁気カードの記録情報を読み取るカードリーダ１９との間の各種情報の授受を司るインタフェース部（以下、「Ｉ／Ｆ」という。）１３と、キーボード及びマウス（ポインティング・デバイス）を含んで構成された入力部１４と、各種情報を記憶する記憶部１５と、クライアント端末１０とネットワーク５との間の接続を司るネットワーク制御部１６と、を含んで構成されている。
【００５１】
これらの制御部１１、表示部１２、Ｉ／Ｆ１３、入力部１４、記憶部１５、及びネットワーク制御部１６はシステムバスＢＵＳを介して相互に接続されている。従って、制御部１１は、システムバスＢＵＳを介して、表示部１２による各種情報の表示、Ｉ／Ｆ１３を介したカードリーダ１９による読み取り情報の取得、入力部１４を介した各種情報の取得、記憶部１５に対するアクセス、及びネットワーク制御部１６を介したネットワーク５に接続されている装置との間の各種情報の授受、を各々行うことができる。
【００５２】
なお、本実施の形態に係るカードリーダ１９で読み取り対象とする磁気カードは、本文書処理システム１のユーザに対して予め配布されているものであり、当該ユーザを認証するための認証コード（本発明の「認証情報」に相当。）が予め記憶されたものである。
【００５３】
図５に示すように、本実施の形態に係る上記認証コードは、複数桁（ここでは、５桁）の数字で構成された権限認証コードと、複数桁（ここでは、５桁）の数字で構成された個人認証コードの２種類のコードから構成されている。ここで、上記権限認証コードは、所持者に与えられた権限を示すコードであり、このコードによって所持者の有する権限を特定することができる。なお、この権限の種類としては、文書処理システム１の管理者の権限、当該管理者以外でかつ文書処理システム１の有する全てのサービスの利用が許可された者の権限、文書処理システム１の有するサービスの一部のみの利用が許可された者の権限等を例示することができる。また、上記個人認証コードは、所持者の各々に唯一無二に付与されるコードであり、このコードによって所持者個人を特定することができる。
【００５４】
一方、サービス検索サーバ２０は、ネットワーク５に接続された複数のサービスの中から、検索条件に対応するサービスを検索する。サービス検索サーバ２０は、画像処理装置６１、文書管理サーバ６２、文書配信サーバ６３、第１のサービス処理装置６４、第２のサービス処理装置６５等の様々なサービス処理装置のＩ／Ｆ情報の一部（以下「部分Ｉ／Ｆ情報」という。）を予め記憶している。ここで、部分Ｉ／Ｆ情報は、Ｉ／Ｆ情報の要素中の＜サービス種類＞、＜サービス名＞、＜サービスロケーション情報＞、＜入力＞情報、＜出力＞情報をいう。
【００５５】
サービス検索サーバ２０は、指示書生成サーバ３０や連携処理サーバ５０から検索条件が送信されたときは、各サービス処理装置の部分Ｉ／Ｆ情報を用いてサービスを検索する。例えば、サービス検索サーバ２０は、所定のサービスと同様のサービスを検索するときは、＜サービス種類＞が一致するサービスを検索したり、＜入力＞及び＜出力＞が一致するサービスを検索したり、これらすべてが一致するサービスを検索すればよい。
【００５６】
指示書生成サーバ３０は、指示書作成時には各サービス処理装置からＩ／Ｆ情報を取得して、各サービス処理装置が提供するサービスを連携させるための指示書を生成する。指示書生成サーバ３０は、指示書を作成すべく、具体的には次の処理を実行する。
【００５７】
指示書生成サーバ３０は、＜サービスロケーション情報＞に基づいて、ネットワーク５上に分散した所定のサービス処理装置から、各サービスに関するＩ／Ｆ情報を送信するように要求する。なお、指示書生成サーバ３０は、所定のサービス処理装置がない場合は、サービス検索サーバ２０に対して、所定のサービス処理装置と同一のサービスを行う他のサービス処理装置を検索するように指示を出す。そして、指示書生成サーバ３０は、サービス検索サーバ２０から、他のサービス処理装置の＜サービスロケーション情報＞を取得すればよい。
【００５８】
指示書生成サーバ３０は、サービス検索サーバ２０からの検索結果や各サービス処理装置から受信したＩ／Ｆ情報を管理する。指示書生成サーバ３０は、各サービス処理装置から取得したＩ／Ｆ情報に基づいて、ジョブフローを定義するためのＧＵＩ画面となるＨＴＭＬファイルを生成する。そして、指示書生成サーバ３０は、クライアント端末１０からのサービスの閲覧要求があると、ＧＵＩ画面となるＨＴＭＬファイルを前記クライアント端末１０へ送信する。
【００５９】
図６は、ジョブフローを定義するためのＧＵＩ画面である指示書作成画面１００を示す図である。指示書作成画面１００は、サービスウインドウ１０１、フローウインドウ１０２、ロジックウインドウ１０３、プロパティーウインドウ１０４で構成されている。
【００６０】
サービスウインドウ１０１は、使用可能な様々なサービス処理装置を表示する。ロジックウインドウ１０３は、サービス間の連携のパターンを示すジョブフローを表示する。プロパティーウインドウ１０４は、サービスウインドウ１０１とロジックウインドウ１０３に表示された各アイコンの詳細な設定パラメータを表示する。
【００６１】
ユーザは、サービスウインドウ１０１のアイコンとロジックウインドウ１０３のアイコンをフローウインドウ１０２にドラッグ・アンド・ドロップすることで、フローウインドウ１０２にジョブフローを定義することができる。ユーザは、さらに、プロパティーウインドウ１０４に表示された内容を編集することによって、サービスやロジックなどのサービス間の関係を詳細に設定することができる。
【００６２】
クライアント端末１０は、ユーザの操作によって定義されたジョブフロー情報を指示書生成サーバ３０に送信する。
【００６３】
指示書生成サーバ３０は、ユーザからのサービス連携の指示に関するジョブフロー情報と、各サービスのＩ／Ｆ情報とに基づいて、各サービスへ依頼する処理の内容、入力パラメータ、各サービスの連携の仕方（ジョブフロー）、文書名や格納ロケーション情報等の処理対象の文書を特定するための情報等を定義した指示書を作成する。指示書は、ＸＭＬ形式のファイルで構成されている。
【００６４】
図７は、ＸＭＬ形式で構成された指示書の一例を示す図である。なお、同図に示される指示書において、〈〉内の先頭に‘／’（スラッシュ）が記述された〈〉を含めた文字列（例えば、‘〈／Ｊｏｂ〉’、‘〈／Ｓｃａｎ〉’等）は、‘／’が記述されていない同一文字列（例えば、‘〈Ｊｏｂ〉’、‘〈Ｓｃａｎ〉’等）によって示されるパラメータ記述開始位置に対するパラメータ記述終了位置を示すものである。
【００６５】
同図に示す指示書では、前段において、当該指示書の名称（指示書名）（Ｎａｍｅ）、当該指示書の作成者の名前（Ａｕｔｈｏｒ）、当該指示書の作成日付（Ｄａｔｅ）、当該指示書の利用が許可されたユーザを示す個人認証コード（Ｕｓｅｒ）、当該指示書の利用が許可されたユーザの権限を示す権限認証コード（Ａｃｃｅｓｓ）が記述されている。そして、後段において、処理対象とする文書のスキャン機能による読み取りの実行指示（Ｓｃａｎ）、当該読み取りによって得られた文書データ（画像データ）の電子メールによる送信の実行指示（Ｍａｉｌ）が、各々の実行に必要とされるパラメータと共に記述されている。
【００６６】
ここで、上記個人認証コードは前述した認証コード（図５も参照。）における個人認証コードに対応するものであり、当該指示書の利用が許可された全てのユーザに付与された個人認証コードが記述される。また、上記権限認証コードは、前述した認証コードにおける権限認証コードに対応するものであり、当該指示書の利用が許可された全ての権限を示す権限認証コードが記述される。
【００６７】
なお、指示書は、図７に示す構成に限定されるものではなく、各サービスを連携させることができればよい。
【００６８】
指示書生成サーバ３０は、以上のようなＸＭＬ形式の指示書を指示書管理サーバ４０に送信する。また、指示書生成サーバ３０は、ユーザによりサービス連携処理の実行が指示されている場合は、指示書を直接連携処理サーバ５０に送信してもよい。
【００６９】
指示書管理サーバ４０は、指示書生成サーバ３０から送信された指示書をハードディスク４１により保持（記憶）し、クライアント端末１０からの要求に応じて指示書を連携処理サーバ５０へ送信する。
【００７０】
連携処理サーバ５０は、指定された指示書を解釈・実行するサーバである。連携処理サーバ５０は、指示書が送信されると、その指示書を解釈し、指示書に記述されている順番と利用方法に従い、画像処理装置６１、文書管理サーバ６２、文書配信サーバ６３などの各サービス処理装置を順に呼び出し、連携処理を実行する。また、連携処理サーバ５０は、実行中の連携処理の状況や終了した連携処理の結果の情報を保存し、外部からの要求に応じて、連携処理の状況や結果を通知する。
【００７１】
連携処理サーバ５０は、指示書を解釈して各サービス処理装置へ依頼する際には、処理依頼内容や入力パラメータ、処理対象の文書を特定するための情報等を有する個別指示情報を生成する。なお、連携処理サーバ５０は、各サービス処理装置で行う処理の連携処理における前後のサービス処理との関連情報を抽出して指示書に記述してもよいし、指示書の形式ではなく各サービス処理装置毎の固有の情報交換形式で処理依頼を行うようにしてもよい。
【００７２】
画像処理装置６１は、画像処理機能を行うソフトウェアプログラムがインストールされたコンピュータである。画像処理装置６１は、連携処理サーバ５０からの処理要求依頼に含まれるサービス処理依頼内容、入力パラメータ、処理対象文書の情報に基づいて、文書の処理を行う。また、画像処理装置６１は、起動時にサービス検索サーバ２０に対して、部分Ｉ／Ｆ情報を通知する。さらに、画像処理装置６１は、指示書生成サーバ３０からの要求により、画像処理サービスの利用方法を示すＩ／Ｆ情報を送信する。このＩ／Ｆ情報は、指示書作成時に利用される。
【００７３】
文書管理サーバ６２は、文書格納機能を有している。文書管理サーバ６２は、連携処理サーバ５０からの要求に含まれる情報に基づき、文書の格納や検索や読み出し、文書に関する属性の変更や各種処理を実行する。また、文書管理サーバ６２は、起動時にサービス検索サーバ２０に対して、部分Ｉ／Ｆ情報を通知する。さらに、文書管理サーバ６２は、指示書生成サーバ３０からの要求により文書管理サービスの利用方法を示すＩ／Ｆ情報を送信する。
【００７４】
文書配信サーバ６３は、取得した文書を、指示された文書管理サーバへ格納したり、指示された送信先へメール送信やＦＡＸ送信を行ったり、指示されたプリンタへプリント出力処理を行う機能を備えている。文書配信サーバ６３は、連携処理サーバ５０からの要求により、クライアント端末１０で指示された文書とその配信先の情報に基づき、文書の配信処理を行う。また、文書配信サーバ６３は、起動時に、サービス検索サーバ２０に対して、部分Ｉ／Ｆ情報を通知する。さらに、文書配信サーバ６３は、指示書生成サーバ３０からの要求により配信処理サービスの利用方法を示すＩ／Ｆ情報を送信する。
【００７５】
第１のサービス処理装置６４は、外部からの指示に従って文書に関する所定のサービス処理を行う装置である。ここで、第１のサービス処理装置６４は、連携処理サーバ５０からの処理依頼内容や入力パラメータ、処理対象の文書を特定するための情報等の情報に基づき、自身で実行すべきサービス処理を実行する。また、第１のサービス処理装置６４は、起動時に、サービス検索サーバ２０に対して、部分Ｉ／Ｆ情報を通知する。さらに、第１のサービス処理装置６４は、指示書生成サーバ３０からの要求によりサービス処理の利用方法を示すＩ／Ｆ情報を送信する。なお、第２のサービス処理装置６５は、サービス処理の内容を除いて、第１のサービス処理装置６４と同様に動作する。
【００７６】
以上のように構成された文書処理システム１において、画像処理装置６１、文書管理サーバ６２、文書配信サーバ６３等の各サービス処理装置は、それぞれ所定のサービスを実行するためのアプリケーションプログラムがインストールされると、以下のように動作する。
【００７７】
画像処理装置６１、文書管理サーバ６２、文書配信サーバ６３等のサービス処理装置は、起動処理において、それぞれのサービス概要とアドレスを示す情報を含んだ部分Ｉ／Ｆ情報をサービス検索サーバ２０に通知する。
【００７８】
サービス検索サーバ２０は、画像処理装置６１、文書管理サーバ６２、文書配信サーバ６３等の各サービス処理装置から送信された部分Ｉ／Ｆ情報を保存する。これにより、サービス検索サーバ２０は、例えば指示書生成サーバ３０や連携処理サーバ５０から所定のサービス検索要求があったときに、部分Ｉ／Ｆ情報を用いて検索を実行することができる。
【００７９】
ハードディスク４１が本発明の記憶手段に、表示部１２が本発明の表示手段に、制御部１１が本発明の取得手段、検索手段及び判定手段に、入力部１４が本発明の入力手段及び指定入力手段に、各々相当する。
【００８０】
（指示書の作成）
図８は、指示書作成時のクライアント端末１０及び指示書生成サーバ３０の処理手順を示すフローチャートである。
【００８１】
クライアント端末１０は、ユーザの操作に従って、インストールされたブラウザを通して、指示書生成サーバ３０が提供するユーザインタフェース画面用に生成されたＨＴＭＬファイルのＵＲＬ（Ｕｎｉｆｏｒｍ  Ｒｅｓｏｕｒｃｅ  Ｌｏｃａｔｏｒ）にアクセスする（ステップＳＴ１）。
【００８２】
指示書生成サーバ３０は、クライアント端末１０からの閲覧要求に応じて、ユーザインタフェース画面のＨＴＭＬファイルをクライアント端末１０に送信する（ステップＳＴ２）。
【００８３】
クライアント端末１０は、指示書生成サーバ３０から送信された例えばＨＴＭＬファイルに含まれる画面を構成する情報に基づいて、ユーザインタフェース画面を表示する（ステップＳＴ３）。このとき、ユーザは、クライアント端末１０に表示されたユーザインタフェース画面を用いて、所望のサービス連携のジョブフローを定義することができる。
【００８４】
クライアント端末１０は、ユーザインタフェース画面を介してジョブフローが定義されたか否かを判定し、ジョブフローが定義されるまで待機する（ステップＳＴ４）。クライアント端末１０は、ジョブフローが作成されたと判定すると、ユーザによって定義されたサービス連携に関するジョブフロー情報を指示書生成サーバ３０に送信する。
【００８５】
指示書生成サーバ３０は、クライアント端末１０より送信されたサービス連携のジョブフローに関する情報と、各サービス処理装置から取得したＩ／Ｆ情報とに基づいて、各サービスへ依頼する処理の内容、入力パラメータ、各サービスの連携の仕方、文書名や格納ロケーション情報等の処理対象の文書を特定するための情報を定義した指示書を作成する（ステップＳＴ５）。そして、指示書生成サーバ３０は、ＸＭＬ形式の指示書を指示書管理サーバ４０に送信する。
【００８６】
指示書管理サーバ４０は、指示書生成サーバ３０で生成された指示書を保存する。指示書管理サーバ４０は、指示書生成サーバ３０で作成された複数の指示書を保存しており、クライアント端末１０から指示書の選択指示があった時は選択された指示書を読み出す。
【００８７】
（連携処理の起動・実行）
ユーザは、指示書管理サーバ４０に保存されている複数の指示書の中から所望の指示書を選択して、連携処理を起動させることができる。具体的には、以下の通りである。
【００８８】
図９は、クライアント端末１０、指示書管理サーバ４０及び連携処理サーバ５０の処理を示すフローチャートである。
【００８９】
まず、クライアント端末１０は、指示書選択処理を実行する（ＳＴ１１）。以下、図１０を参照して、本実施の形態に係る指示書選択処理について詳細に説明する。なお、図１０は、指示書選択処理の実行の際にクライアント端末１０の制御部１１において実行される指示書選択処理プログラムの処理の流れを示すフローチャートであり、該プログラムは予め記憶部１５の所定領域に記憶されている。
【００９０】
ユーザは当該指示書選択処理を実行する際に、予め配布された磁気カードをカードリーダ１９により読み取らせる操作を行う。これにより、クライアント端末１０の制御部１１には、当該磁気カードに記憶されている認証コード（図５も参照。）を示す情報が入力される。
【００９１】
そこで、まず、ステップ２００では、認証コードを示す情報の入力待ちを行い、次のステップ２０２では、予め定められた条件入力画面を表示部１２により表示する。
【００９２】
図１１には、本実施の形態に係る条件入力画面が示されている。同図に示すように、当該画面には、表示する指示書の条件の指定を促す旨のメッセージが表示されると共に、指定可能な条件として、「すべての指示書」、「共有指示書」、「個人指示書」の３種類が、指定状態を示す円形枠と共に表示される。
【００９３】
当該画面が表示部１２によって表示されると、ユーザは、所望の条件に対応する円形枠内又は文字列の表示領域を入力部１４におけるマウスによりポインティング指定する。これにより、クライアント端末１０の制御部１１には、当該マウスによるポインティング指定位置を示す座標情報が入力され、ユーザによって何れかの条件が指定されたことを検出することができる。なお、図１１では、ユーザによって「共有指示書」が指定された状態が示されている。
【００９４】
そこで、次のステップ２０４では、上記条件の入力待ちを行い、次のステップ２０６では、上記ポインティング指定位置により特定される、ユーザによって指定された条件に応じた指示書を検索する指示書検索処理プログラムを実行する。図１２には、当該指示書検索処理プログラムの処理の流れが示されている。以下、同図を参照して、同プログラムの処理について説明する。
【００９５】
まず、ステップ３００では、ユーザによって指定された条件が「すべての指示書」の表示であったか否かを判定し、肯定判定となった場合はステップ３０２に移行して、指示書管理サーバ４０におけるハードディスク４１によって保存されている指示書群から全ての指示書を検索し、その後に本指示書検索処理プログラムを終了する。
【００９６】
一方、上記ステップ３００において否定判定となった場合にはステップ３０４に移行し、ユーザによって指定された条件が「共有指示書」の表示であったか否かを判定し、肯定判定となった場合はステップ３０６に移行して、指示書管理サーバ４０におけるハードディスク４１によって保存されている指示書群から、上記ステップ２００において入力された情報によって示される認証コードにおける権限認証コードに合致するコードが記述された指示書を検索し、その後に本指示書検索処理プログラムを終了する。
【００９７】
一方、上記ステップ３０４において否定判定となった場合には、ユーザによって指定された条件が「個人指示書」の表示であったものと見なしてステップ３０８に移行し、指示書管理サーバ４０におけるハードディスク４１によって保存されている指示書群から、上記ステップ２００において入力された情報によって示される認証コードにおける個人認証コードに合致するコードが記述された指示書を検索し、その後に本指示書検索処理プログラムを終了する。
【００９８】
指示書検索処理プログラムが終了すると指示書選択処理プログラム（図１０参照。）のステップ２０８に移行し、指示書検索処理プログラムによって検索された全ての指示書における指示書名を示す情報と、１番目の処理（以下、「起点」ともいう。）に対応する情報とを読み出し、次のステップ２１０にて、読み出した情報に基づいて指示書表示画面を構成する。
【００９９】
なお、この指示書表示画面を構成する際に、制御部１１は、検索された指示書における起点となる処理を表すアイコン（本発明の「先頭処理情報」に相当。）が、当該指示書の指示書名と共に表示されるように構成する。例えば、検索された指示書が図７に示されるものである場合、起点はスキャン処理であるので、スキャン処理を示すアイコンが当該指示書の指示書名と共に表示されるように構成される。なお、本実施の形態に係るクライアント端末１０では、文書処理システム１において対象とされている全てのサービスについて、各サービスを示すアイコン情報が予め記憶部１５の所定領域に記憶されており、当該情報を利用して指示書表示画面は構成される。
【０１００】
次のステップ２１２では、構成した指示書表示画面を表示部１２により表示する。
【０１０１】
図１３には、本実施の形態に係る指示書表示画面が示されている。同図に示すように、当該画面には、指示書の選択を促す旨のメッセージが表示されると共に、上記ステップ２０６の処理によって検索された指示書を示す情報（ここでは、指示書名）が当該指示書における起点を示すアイコンと共に表示される。なお、各指示書名と共に表示されている更新日時は、当該指示書に記載されている当該指示書の作成日付ではなく、当該指示書の電子ファイルに対応するディレクトリ情報に基づくものである。
【０１０２】
また、当該画面には、表示されている指示書を更に絞り込むためのボタン（「すべての指示書」、「共有指示書」、「個人指示書」の各情報と共に表示された円形枠）も表示される。
【０１０３】
当該画面が表示部１２によって表示されると、ユーザは、所望の指示書が確認された場合には、当該指示書の指示書名が表示されている矩形領域内を入力部１４におけるマウスによりポインティング指定する。これにより、クライアント端末１０の制御部１１には、当該マウスによるポインティング指定位置を示す座標情報が入力され、ユーザによって指定された指示書を検出することができる。また、ユーザは、表示されている指示書名を更に絞り込みたい場合には、所望の絞り込み条件を示す情報（本発明の「抽出情報」に相当し、ここでは、「すべての指示書」、「共有指示書」、「個人指示書」の何れかの情報）に対応する上記ボタンをマウスにてポインティング指定する。これにより、クライアント端末１０の制御部１１は、ユーザによって指定された絞り込み条件を検出することができる。
【０１０４】
次のステップ２１４では、ユーザによる指示書表示画面上での何れかの指定入力の終了待ちを行い、次のステップ２１６では、上記ステップ２１４において入力したものが何れかの絞り込み条件であったか否かを判定し、肯定判定となった場合は上記ステップ２０６に戻って再びステップ２０６〜ステップ２１４の処理を実行し、否定判定となった場合には指示書表示画面上でユーザにより指定されたものが所望の指示書であったものと見なしてステップ２１８に移行する。
【０１０５】
ステップ２１８では、ユーザにより指定された所望の指示書の起動を指示書管理サーバ４０に指示し、その後に本指示書選択処理プログラムを終了する。
【０１０６】
本指示書選択処理プログラムのステップ２００の処理が本発明の取得手段及び取得工程に、ステップ２０６の処理が本発明の検索手段及び検索工程に、ステップ２１２の処理が本発明の表示工程に、ステップ２１４の処理が本発明の入力工程及び指定入力工程に、各々相当する。
【０１０７】
指示書管理サーバ４０は、クライアント端末１０によって指示された指示書を連携処理サーバ５０へ送信する（図９のステップＳＴ１２）。この結果、連携処理サーバ５０は、連携処理の実行を開始する。
【０１０８】
連携処理サーバ５０は、指示書管理サーバ４０より送信された指示書を解釈し、指示書に記述された第１番目の処理である画像処理装置６１に対して、第１のサービス処理を実行することを依頼する（ステップＳＴ１３）。連携処理サーバ５０は、具体的には、指示書に記載された情報をもとに、処理依頼するサービス処理装置のロケーションや処理依頼に必要な入力パラメータと出力パラメータ形式、処理依頼のためのメソッド名、起動方法、処理対象文書を特定する情報を抽出し、個別指示情報を作成する。連携処理サーバ５０は、個別指示情報を第１の処理依頼先である画像処理装置６１へ送信する。
【０１０９】
画像処理装置６１は、送信された指示書に記述された処理対象文書の格納先ロケーション情報をもとに、処理対象文書をコピーし文書を取得する。画像処理装置６１は、取得した文書画像に対し、サービス処理依頼内容を解釈し、ノイズ除去、ＯＣＲ処理といった画像処理を行い、抽出されたテキスト文書とバインドする処理を行う。画像処理装置６１は、画像処理によって得られた画像文書とテキスト文書がバインドされた文書を元の格納先へ再格納する。画像処理装置６１は、このような処理が完了すると、処理のステータス情報（完了）、出力パラメータ、処理後の文書格納先情報など、処理結果を連携処理サーバ５０へ送信する。
【０１１０】
連携処理サーバ５０は、画像処理装置６１からの処理結果を受信すると、第１の処理依頼結果をログとして管理する。そして、連携処理サーバ５０は、指示書に基づき第２の処理依頼先を特定し、第２のサービス処理を実行することを文書管理サーバ６２に依頼する（ステップＳＴ１４）。連携処理サーバ５０は、第１のサービス処理依頼と同様に、個別指示情報（処理依頼に関する情報である文書を格納する旨の情報、文書の格納先の情報、処理対象文書を特定する情報）を文書管理サーバ６２へ送信する。
【０１１１】
文書管理サーバ６２は、連携処理サーバ５０の依頼内容に基づき、前の処理（第１のサービス処理）で処理され格納された文書を、依頼内容に記述された格納先情報に基づき格納処理を行う。文書管理サーバ６２は、このような処理が完了すると、処理のステータス情報（完了）、出力パラメータ、処理後の文書格納先情報など、処理結果を連携処理サーバ５０へ送信する。
【０１１２】
連携処理サーバ５０は、第２のサービス処理（文書格納処理）からの処理結果を受信すると、第２の処理依頼結果をログとして管理する。連携処理サーバ５０は、指示書に基づき第３の処理依頼先を特定し、第３のサービス処理を実行することを文書配信サーバ６３に依頼する（ステップＳＴ１５）。連携処理サーバ５０は、第２のサービス処理依頼と同様に、個別指示情報（処理依頼に関する情報である文書を格納する旨の情報、文書の格納先の情報、処理対象文書を特定する情報）を文書配信サーバ６３へ送信する。
【０１１３】
文書配信サーバ６３は、連携処理サーバ５０の依頼内容に基づき、前の処理（第２のサービス処理）で処理され格納された文書を、文書を特定する情報（格納先情報）に基づき文書ファイルを読み出し、依頼内容に記述された処理を行う。ここでは、文書配信サーバ６３は、テキスト文書と画像文書がバインドされた文書のうち、テキスト文書のみを配信先として指定されたメールアドレスへメール送信し、画像文書のみを指定されたＦＡＸ番号へＦＡＸ送信を行う。文書配信サーバ６３は、処理が完了すると、処理のステータス情報（完了）、出力パラメータ、処理後の文書格納先情報など、処理結果を連携処理サーバ５０へ送信する。
【０１１４】
この処理において、文書配信サーバ６３は、例えばＦＡＸ送信処理において相手先が話し中でありかつ所定回数リトライを行っても相手先と接続できなかった場合、ステータス情報として「メール送信：完了、ＦＡＸ送信：未送信」を連携処理サーバ５０に送信する。
【０１１５】
連携処理サーバ５０は、第３のサービス処理からの処理結果を受信し、指示書には次の処理が記述されていないと判断すると、クライアント端末１０に対してすべての処理が完了した旨の通知を行い、連携処理を終了する（ステップＳＴ１６）。
【０１１６】
以上詳細に説明したように、本実施の形態に係る文書処理システム１は、予め複数記憶されると共に、文書データに施す複数の処理を一連の処理として表した指示書のユーザを認証するための認証コードを取得し、当該認証コードによって認証されたユーザが利用可能な指示書を上記複数の指示書から検索し、検索した指示書を示す情報（指示書名）を表示しているので、ユーザにとって有用な指示書のみに絞り込まれた状態で指示書を表示することができ、この結果として、予め記憶された多数の指示書から所望のものを短時間で指定することができる。
【０１１７】
また、本実施の形態に係る文書処理システム１は、認証コードに基づいて認証されたユーザの予め定められた権限に応じて利用可能な指示書を上記複数の指示書から検索しているので、ユーザによって更に有用な指示書のみに絞り込まれた状態で指示書を表示することができ、この結果として、予め記憶された多数の指示書から所望のものを、より短時間で指定することができる。
【０１１８】
また、本実施の形態に係る文書処理システム１は、表示部１２により、検索された指示書における起点の処理を表すアイコンを、当該指示書を示す指示書名と共に表示するようにしているので、各指示書における起点の処理を指示書の記述内容を参照することなしにユーザに明示することができ、この結果として、予め記憶された多数の指示書から所望のものを、より短時間で指定することができる。
【０１１９】
更に、本実施の形態に係る文書処理システム１は、表示部１２により表示された指示書名が複数であるとき、当該指示書名により示される複数の指示書の少なくとも１つを抽出するための抽出情報（絞り込み条件を示す情報）を入力し、表示部１２により、入力された上記抽出情報に基づいて抽出された指示書を示す指示書名を表示するようにしているので、表示する指示書名を更に絞り込むことができ、所望の指示書を、より短時間で指定することができる。
【０１２０】
［第２の実施形態］
本第２の実施形態では、実行可能である指示書のみ表示する場合の形態について説明する。なお、本実施形態に係る文書処理システム及びクライアント端末の構成は上記第１の実施形態に係る文書処理システム１及びクライアント端末１０（図１及び図４参照。）と同様であるので、ここでの説明は省略する。また、本実施形態に係る文書処理システム１の指示書選択処理以外の処理についても上記第１の実施形態と同様であるので、ここでは、本第２の実施形態に係る指示書選択処理についてのみ、図１４を参照しつつ説明する。なお、図１４は、本第２の実施形態に係る指示書選択処理の実行の際にクライアント端末１０の制御部１１において実行される指示書選択処理プログラムの処理の流れを示すフローチャートであり、図１０と同一の処理を行うステップについては図１０と同一のステップ番号を付して、その説明を省略する。
【０１２１】
同図のステップ２０８Ａでは、ステップ２０６において実行される指示書検索処理プログラム（図１２も参照。）によって検索された全ての指示書を読み出し、次のステップ２０９にて、読み出した各指示書に記述されているサービスが実行可能か否かを判定する。
【０１２２】
なお、上記サービスが実行可能か否かの判定は、対応するサービスを実際に実行するサービス処理装置に問い合わせを行うことにより行われる。例えば、判定対象とするサービスが文書データの送信のサービスである場合には、当該送信に用いられる通信回線が使用可能か否かや、送信先の装置が受信可能な状態となっているか否か等を文書配信サーバ６３に問い合わせて、この結果に応じて当該判定を行う。また、判定対象とするサービスが文書データにより示される文書を印刷するサービスである場合には、当該印刷を行うプリンタが紙詰まりを起こしていないか否かや、当該プリンタの記録用紙がなくなっていないか否か等を文書配信サーバ６３に問い合わせて、この結果に応じて当該判定を行う。
【０１２３】
そして、次のステップ２１０Ａでは、上記ステップ２０８Ａにおいて読み出した指示書に記述されている情報と、上記ステップ２０９における判定結果とに基づいて指示書表示画面を構成する。具体的には、ステップ２０８Ａにおいて読み出した全ての指示書における指示書名及び起点となる処理を示す情報を読み出し、当該起点となる処理を表すアイコンが、当該指示書の指示書名と共に表示されるように当該画面を構成する。但し、このとき、上記ステップ２０９において実行できないと判定されたサービスが含まれる指示書については、当該画面の表示対象から外すようにする。
【０１２４】
この結果、次のステップ２１２において表示部１２により表示される指示書表示画面は、図１３に示すものに対して実行できないサービスが含まれる指示書については表示されないものとなる。
【０１２５】
本指示書選択処理プログラムのステップ２０９の処理が本発明の判定手段及び判定工程に相当する。
【０１２６】
以上詳細に説明したように、本実施の形態に係る文書処理システム１は、上記第１の実施形態に係る文書処理システム１と同様の効果を奏することができると共に、検索された指示書により表される一連の処理が実行可能か否かを判定し、表示部１２により、実行可能であると判定された指示書を示す指示書名のみ表示するようにしているので、実行できない無駄な指示書の表示を行わず、表示する指示書名を更に絞り込むことができるため、所望の指示書を、より短時間で指定することができる。
【０１２７】
なお、本第２の実施形態では、実行できない処理が含まれた指示書に関する情報については指示書表示画面に表示しない場合について説明したが、本発明はこれに限定されるものではなく、例えば、当該情報をユーザにより指定できない状態で表示（例えば、ブラックアウト状態で表示）する形態とすることもできる。この場合、指定する権限は有するが、実行不可能なサービスが存在するため指定できない旨をユーザに対して明示することができ、本実施形態に比較して、利便性を向上させることができる。
【０１２８】
また、上記各実施形態では、指示書検索処理（図１２参照。）において、制御部１１により指示書管理サーバ４０に設けられたハードディスク４１に保存されている指示書を直接検索する場合について説明したが、本発明はこれに限定されるものではなく、例えば、制御部１１によりハードディスク４１に記憶されている全ての指示書を読み出して記憶部１５に一旦記憶し、記憶した指示書群から検索する形態とすることもできる。この場合も、上記各実施形態と同様の効果を奏することができる。
【０１２９】
また、上記各実施形態では、本発明を、指示書に記述された一連の処理を、ネットワークを介して相互に接続された複数のサービス処理装置による連携処理サーバ５０を用いた分散処理により実行する文書処理システム１に適用した場合について説明したが、本発明はこれに限定されるものではなく、本発明は、例えば、連携処理サーバ５０を用いることなく指示書に記述された処理を実行する文書処理システムに適用することもできる。以下、この形態について、図面を参照しつつ説明する。なお、第１の実施形態と同一の部位には同一の符号を付し、詳細な説明は省略する。
【０１３０】
図１５は、この形態に係る文書処理システム１００を構成する各サービス処理装置の相互関係を説明するためのブロック図である。この形態に係る文書処理システム１００は、図１及び図２に示した連携処理サーバ５０を使用することなく、複数のサービスの連携処理を実行することができる。
【０１３１】
なお、文書処理システム１００は図１に示した各サービス処理装置（連携処理サーバ５０を除く。）を備えているが、図１５には連携処理に関連するサービス処理装置のみを図示した。
【０１３２】
（連携処理の起動・実行）
ユーザは、指示書管理サーバ４０に保存されている複数の指示書の中から所望の指示書を選択して、連携処理を起動させることができる。具体的には、以下の通りである。
【０１３３】
クライアント端末１０は、前述した指示書選択処理（図１０、図１４参照。）において、ユーザの操作に応じて、指示書表示画面（図１３参照。）から所望のサービス連携処理を表す指示書を選択し、その指示書の起動を指示する。指示書管理サーバ４０は、クライアント端末１０によって指示された指示書を画像処理装置６１へ送信する。
【０１３４】
画像処理装置６１は、送信された指示書に記述された処理対象文書の格納先ロケーション情報をもとに、処理対象の文書を取得する。画像処理装置６１は、取得した文書画像に対し、サービス処理依頼内容を解釈し、ノイズ除去、ＯＣＲ処理といった画像処理を行い、抽出されたテキスト文書とバインドする処理を行う。画像処理装置６１は、所定の画像処理終了後、指示書に記述されたサービス処理依頼を削除する。そして、画像処理装置６１は、画像処理によって得られた画像文書とテキスト文書とがバインドされた文書と、処理のステータス情報（完了）、出力パラメータ、処理後の文書格納先情報など処理結果を有する指示書とを、次のサービス処理を提供する文書管理サーバ６２に送信する。
【０１３５】
また、画像処理装置６１は、所定の画像処理終了後、指示書中に記載された自身のサービス依頼に関する部分を修正又は削除して文書管理サーバ６２に送信してもよい。さらに、画像処理装置６１は、所定の画像処理終了後、指示書を次のサービス処理装置へ送信するようにしてもよい。
【０１３６】
文書管理サーバ６２は、画像処理装置６１から送信された文書を、指示書に記述された格納先に一時格納する。そして、文書管理サーバ６２は、指示書に記述されたサービス処理依頼を削除して、文書及び指示書を次のサービス処理を行う文書配信サーバ６３に送信する。
【０１３７】
文書配信サーバ６３は、指示書に基づいて、テキスト文書と画像文書がバインドされた文書のうち、テキスト文書のみを配信先として指定されたメールアドレスへメール送信し、画像文書のみを指定されたＦＡＸ番号へＦＡＸ送信を行う。そして、文書配信サーバ６３は、指示書に次の処理が記述されていないと判断すると、クライアント端末１０に対してすべての処理が完了した旨の通知を行い、連携処理を終了する。
【０１３８】
また、本発明は、以上のような連携処理サーバ５０を用いない文書処理システム１００や、上記各実施形態で示した連携処理サーバ５０を用いる文書処理システム１における各サービスを実行する複数の処理部を、ネットワークを介さずに単体として構成した複合機に適用することもできる。
【０１３９】
本発明を上記のような文書処理システム１００に適用した場合や当該複合機に適用した場合にも、上記各実施形態と同様の効果を奏することができる。
【０１４０】
また、上記各実施形態では、各指示書の起点の処理を表す情報としてアイコンを適用した場合について説明したが、本発明はこれに限定されるものではなく、例えば、起点の処理を表す文字（文字列）や記号等を適用する形態とすることもできる。この場合も、上記各実施形態と同様の効果を奏することができる。
【０１４１】
また、上記各実施形態では、指示書の利用が許可されたユーザを示す個人認証コード及び権限認証コードを当該指示書に記述しておく場合について説明したが、本発明はこれに限定されるものではなく、例えば、これらのコードを、対応する指示書を特定可能な情報（例えば、指示書名）に関連付けてアクセス可能な記憶装置に予め記憶しておく形態とすることもできる。この場合、指示書検索処理（図１２参照）では、当該記憶しておいた情報を参照して指示書を検索することになる。この場合も上記各実施形態と同様の効果を奏することができる。
【０１４２】
また、上記各実施形態では、ユーザを認証するための認証コードをカードリーダ１９を介して取得する場合について説明したが、本発明はこれに限定されるものではなく、例えば、入力部１４におけるキーボードを介したユーザによるキー入力によって取得する形態とすることもできる。この場合も、上記各実施形態と同様の効果を奏することができる。
【０１４３】
また、上記各実施形態において説明した指示書選択処理プログラムの処理の流れ（図１０及び図１４参照）は一例であり、本発明の主旨を逸脱しない範囲内において適宜変更可能であることは言うまでもない。
【０１４４】
また、上記各実施形態で説明した文書処理システム１の構成（図１参照）やクライアント端末１０の構成（図１及び図４参照）も一例であり、本発明の主旨を逸脱しない範囲内において適宜変更可能であることは言うまでもない。
【０１４５】
【発明の効果】
以上詳細に説明したように、本発明に係る情報表示装置、情報表示方法及び情報表示プログラムによれば、予め複数記憶されると共に、文書データに施す複数の処理を一連の処理として表した連携情報の利用者を認証するための認証情報を取得し、当該認証情報によって認証された利用者が利用可能な連携情報を上記複数の連携情報から検索し、検索した連携情報を示す情報を表示しているので、利用者にとって有用な情報のみに絞り込まれた状態で連携情報を表示することができ、この結果として、予め記憶された多数の連携情報から所望のものを短時間で指定することができる、という効果が得られる。
【図面の簡単な説明】
【図１】実施の形態に係る文書処理システム１の構成を示すブロック図である。
【図２】文書処理システム１の機能的な構成を示すブロック図である。
【図３】Ｉ／Ｆ情報の構成を示す模式図である。
【図４】文書処理システム１におけるクライアント端末１０の構成を示すブロック図である。
【図５】実施の形態に係る認証コードの構成を示す概略図である。
【図６】実施の形態に係る指示書作成画面を示す概略図である。
【図７】実施の形態に係る指示書の構成例を示す概略図である。
【図８】指示書作成時のクライアント端末１０及び指示書生成サーバ３０の処理手順を示すフローチャートである。
【図９】連携処理実行時のクライアント端末１０、指示書管理サーバ４０及び連携処理サーバ５０の処理を示すフローチャートである。
【図１０】第１の実施形態に係る指示書選択処理プログラムの処理の流れを示すフローチャートである。
【図１１】実施の形態に係る条件入力画面を示す概略図である。
【図１２】指示書選択処理プログラムの実行途中で実行される指示書検索処理プログラムの処理の流れを示すフローチャートである。
【図１３】実施の形態に係る指示書表示画面を示す概略図である。
【図１４】第２の実施形態に係る指示書選択処理プログラムの処理の流れを示すフローチャートである。
【図１５】本発明の他の適用例を示す図であり、文書処理システム１００を構成する各サービス処理装置の相互関係を説明するためのブロック図である。
【符号の説明】
１    文書処理システム
１０    クライアント端末
１１    制御部（取得手段、検索手段、判定手段）
１２    表示部（表示手段）
１４    入力部（入力手段、指定入力手段）
１９    カードリーダ
２０    サービス検索サーバ
３０    指示書生成サーバ
４０    指示書管理サーバ
４１    ハードディスク（記憶手段）
５０    連携処理サーバ
６１    画像処理装置
６２    文書管理サーバ
６３    文書配信サーバ
６４    第１のサービス処理装置
６５    第２のサービス処理装置
１００    文書処理システム
【図１】
2004288056.tif 000003
【図２】
2004288056.tif 000004
【図３】
2004288056.tif 000005
【図４】
2004288056.tif 000006
【図５】
2004288056.tif 000007
【図６】
2004288056.tif 000008
【図７】
2004288056.tif 000009
【図８】
2004288056.tif 000010
【図９】
2004288056.tif 000011
【図１０】
2004288056.tif 000012
【図１１】
2004288056.tif 000013
【図１２】
2004288056.tif 000014
【図１３】
2004288056.tif 000015
【図１４】
2004288056.tif 000016
【図１５】
2004288056.tif 000017